【手続補正書】
【提出日】平成25年9月17日(2013.9.17)
【手続補正１】
【補正対象書類名】特許請求の範囲
【補正対象項目名】全文
【補正方法】変更
【補正の内容】
【特許請求の範囲】
【請求項１】
携帯機器が特定の条件を満たす場合に前記携帯機器内で注意散漫防止安全プロトコル動作を起動する方法であって、当該方法は、
前記携帯機器が、前記特定の条件に関連した発見情報トリガ信号を送信するように構成された少なくとも１つのプロトコルアクティベータを発見する工程と、
前記携帯機器が、前記発見情報トリガ信号に少なくとも部分的に基づき前記携帯機器の前記注意散漫防止安全プロトコル動作を起動する工程と、を備えることを特徴とする方法。
【請求項２】
請求項１に記載の方法において、前記特定の条件は、前記携帯機器が特定の環境に進入する場合に該当することを特徴とする方法。
【請求項３】
請求項２に記載の方法において、前記発見する工程は、前記特定の環境内で少なくとも１つのプロトコルアクティベータを探す工程を備えることを特徴とする方法。
【請求項４】
請求項３に記載の方法において、前記発見する工程は、前記発見情報を得るために少なくとも１つのリクエストを送信する工程をさらに備えることを特徴とする方法。
【請求項５】
請求項１に記載の方法において、前記発見情報は、前記少なくとも１つのプロトコルアクティベータに関連した機器名及び機器種類に対応し、前記機器種類は前記特定の条件の情報であることを特徴とする方法。
【請求項６】
請求項１に記載の方法において、前記発見する工程は、ルックアップテーブルにアクセスする工程と、前記特定の条件に関連した前記発見情報に対応するエントリを特定する工程と、をさらに備えることを特徴とする方法。
【請求項７】
請求項１に記載の方法において、前記起動は、前記発見情報に対応する前記安全プロトコル動作をルックアップテーブルから特定する工程を備えることを特徴とする方法。
【請求項８】
請求項２に記載の方法において、前記プロトコルアクティベータは、前記特定の環境に関連した既定の機器名及び種類によって特徴付けられるトランスミッタに該当することを特徴とする方法。
【請求項９】
請求項２に記載の方法において、前記特定の環境は、輸送車両、教室、矯正施設、空港、飛行機、法廷、病院、教会、映画館、飛行区域、危険地帯、寝室、及び観客席の少なくともいずれか１つに該当することを特徴とする方法。
【請求項１０】
請求項２に記載の方法において、前記起動する工程は、前記特定の環境内の特定のワーキンググループに関連した追加情報を蓄積する工程を備えることを特徴とする方法。
【請求項１１】
請求項２に記載の方法において、前記起動する工程は、特定のワーキンググループに対応するプロトコル動作を特定する工程を備えることを特徴とする方法。
【請求項１２】
請求項１に記載の方法において、前記安全プロトコル動作は、前記携帯機器の機能の少なくとも部分的な不能化に該当することを特徴とする方法。
【請求項１３】
請求項１に記載の方法において、前記少なくとも１つのプロトコルアクティベータは、ブルートゥースセンサ、無線周波数識別子（ＲＦＩＤ）タグリーダ、ＥｄＯｃｅａｎセンサ、トランスファージェット（ＴｒａｎｓｆｅｒＪｅｔ）センサ、超広帯域センサ、ＵＷＢセンサ、無線ＵＳＢ、ＤＳＲＣセンサ、ＩｒＤＡａセンサ、ワイヤレス・フィディリティ（ＷｉＦｉ）センサ、ジグビー（Ｚｉｇｂｅｅ）センサ、近距離無線通信（ＮＦＣ）センサ、及び、ワイヤレスパーソナルエリアネットワーク（ＷＰＡＮ）センサの少なくともいずれか１つに該当することを特徴とする方法。
【請求項１４】
特定の環境内で携帯機器の機能を制御する方法であって、当該方法は、
少なくとも１つのトランスミッタが、前記特定の環境内でトリガ信号をブロードキャストする工程と、
携帯機器が、前記トリガ信号及び前記特定の環境に関連した発見情報を受信する工程と、
携帯機器が、前記発見情報及び前記特定の環境に少なくとも部分的に基づき前記携帯機器のプロトコル命令動作のセットを実施する工程であって、当該実施する工程が、前記携帯機器の機能を制限する、実施する工程と、を備えることを特徴とする方法。
【請求項１５】
請求項１４に記載の方法において、前記特定の環境は、以下の環境、輸送車両、教室、矯正（刑務所）施設、空港、飛行機、法廷、病院、教会、映画館、飛行区域、危険地帯、寝室、及び観客席の少なくともいずれか１つに該当することを特徴とする方法。
【請求項１６】
請求項１４に記載の方法において、前記トリガ信号をブロードキャストする工程は、特定の条件の開始を検出する作動機構に基づき少なくとも１つのセンサを起動する工程を備えることを特徴とする方法。
【請求項１７】
請求項１４に記載の方法において、前記発見情報を特定する工程は、前記トリガ信号がブロードキャストされることを遮断する工程と、ワーキンググループ及び前記特定の環境の少なくともいずれか一方を識別する工程と、を備えることを特徴とする方法。
【請求項１８】
請求項１７に記載の方法において、前記実施する工程は、前記識別されたワーキンググループ、及び前記特定の環境の少なくともいずれか一方からの前記トリガ信号に基づいていることを特徴とする方法。
【請求項１９】
請求項１４に記載の方法において、前記実施する工程は、名前、アドレス、及びワーキンググループに関連した少なくとも１つのトリガ信号に対応する前記プロトコル命令動作のセットを特定する工程を備えることを特徴とする方法。
【請求項２０】
請求項１９に記載の方法において、前記実施する工程は、前記携帯機器の機能の少なくとも部分的な不能化を備えることを特徴とする方法。
【請求項２１】
請求項１６に記載の方法において、少なくとも１つの前記センサは、ブルートゥースセンサ、無線周波数識別子（ＲＦＩＤ）タグリーダ、ＥｄＯｃｅａｎセンサ、トランスファージェット（ＴｒａｎｓｆｅｒＪｅｔ）センサ、超広帯域センサ、ＵＷＢセンサ、無線ＵＳＢ、ＤＳＲＣセンサ、ＩｒＤＡａセンサ、ワイヤレス・フィディリティ（ＷｉＦｉ）センサ、ジグビー（Ｚｉｇｂｅｅ）センサ、近距離無線通信（ＮＦＣ）センサ、及び、ワイヤレスパーソナルエリアネットワーク（ＷＰＡＮ）センサの少なくともいずれか１つに該当することを特徴とする方法。
【請求項２２】
請求項１４に記載の方法において、前記プロトコル命令動作は、少なくとも１つの既定のプログラム可能な番号への緊急電話を許可することを特徴とする方法。
【請求項２３】
請求項１４に記載の方法において、前記機能は、電話機能、テキスト機能、メール機能、前記携帯電話に関連したソーシャルネットワーク機能の少なくともいずれか１つに該当することを特徴とする方法。
【請求項２４】
請求項１６に記載の方法において、前記発見情報は、前記特定の環境内の少なくとも１つのセンサに関連した名前、アドレスの少なくともいずれか１つを備えることを特徴とする方法。
【請求項２５】
携帯機器内で安全プロトコルを実施するために携帯機器を操作するシステムであって、当該システムは、
少なくとも１つのトランスミッタから予め標準化された一意のアドレスコードを受信するよう構成された通信モジュールと、
前記携帯機器が動作する特定の環境に関連した発見情報に少なくとも部分的に基づき前記携帯機器内でプロトコル動作を実行するように構成された電話承認モジュールであって、前記発見情報は前記特定の環境内で少なくとも１つのセンサによって送信される、電話承認モジュールを備えることを特徴とするシステム。
【請求項２６】
請求項２５に記載のシステムにおいて、前記予め標準化された一意のアドレスコードは、前記特定の環境の種類情報を有する少なくとも１つのセンサの機器名を備えることを特徴とするシステム。
【請求項２７】
請求項２５に記載のシステムにおいて、前記特定の環境は、輸送車両、教室、矯正施設、空港、飛行機、法廷、病院、教会、映画館、飛行区域、危険地帯、寝室、及び観客席の少なくともいずれか１つに該当することを特徴とするシステム。
【請求項２８】
請求項２５に記載のシステムにおいて、前記予め標準化された一意のアドレスコードに少なくとも部分的に基づき前記プロトコル動作を特定するように構成された安全プロトコルモジュールをさらに備えることを特徴とするシステム。
【請求項２９】
請求項２５に記載のシステムにおいて、前記少なくとも１つのセンサは、ブルートゥースセンサ、無線周波数識別子（ＲＦＩＤ）タグリーダ、ＥｄＯｃｅａｎセンサ、トランスファージェット（ＴｒａｎｓｆｅｒＪｅｔ）センサ、超広帯域センサ、ＵＷＢセンサ、無線ＵＳＢ、ＤＳＲＣセンサ、ＩｒＤＡａセンサ、ワイヤレス・フィディリティ（ＷｉＦｉ）センサ、ジグビー（Ｚｉｇｂｅｅ）センサ、近距離無線通信（ＮＦＣ）センサ、及び、ワイヤレスパーソナルエリアネットワーク（ＷＰＡＮ）センサの少なくともいずれか１つに該当することを特徴とするシステム。
【請求項３０】
特定の環境内で携帯機器が注意散漫防止安全プロトコル動作を起動する方法であって、当該方法は、
プロトコルアクティベータが、前記特定の条件においてトリガ信号をブロードキャストする工程と、
前記プロトコルアクティベータが、ブロードキャストされるトリガ信号に発見情報を含める工程とを具え、
前記プロトコルアクティベータがブロードキャストするトリガ信号内の発見情報により、前記特定の環境内で前記携帯機器の注意散漫防止安全プロトコル動作が起動することを特徴とする方法。
【請求項３１】
請求項３０に記載の方法において、前記プロトコルアクティベータによるブロードキャストは、前記特定の環境内の所定の限られた範囲内に前記トリガ信号をブロードキャスト送信する工程を含むことを特徴とする方法。
【請求項３２】
請求項３０に記載の方法において、前記発見情報は、前記プロトコルアクティベータにかかる汎用一意識別子に対応し、当該汎用一意識別子は特定の条件であることを特徴とする方法。
【請求項３３】
請求項３０に記載の方法において、前記発見情報は、前記プロトコルアクティベータに関連した機器名及び機器種類のうちの少なくとも１つに対応し、前記機器名及び機器種類のうちの少なくとも１つは特定の条件の情報であることを特徴とする方法。
【請求項３４】
請求項３０に記載の方法において、前記プロトコルアクティベータは前記特定の環境に関連する所定の機器名及び種類によって特徴づけられる予め標準化されたトランスミッタに対応することを特徴とする方法。
【請求項３５】
請求項３０に記載の方法において、前記特定の環境は、輸送車両、教室、矯正施設、空港、飛行機、法廷、病院、教会、映画館、飛行区域、危険地帯、寝室、及び観客席の少なくとも１つに該当することを特徴とする方法。
【請求項３６】
請求項３０に記載の方法において、前記プロトコルアクティベータがトリガ信号をブロードキャストする工程は、特定の条件の開始を検出する作動機構に基づき少なくとも１つのトランスミッタを起動する工程を備えることを特徴とする方法。
【請求項３７】
請求項３６に記載の方法において、前記特定の環境は輸送車両内であり、前記トランスミッタの起動は輸送車両の少なくとも１つの要素の状態または位置に基づくことを特徴とする方法。